(57)【特許請求の範囲】
【請求項１】
側板の壁面に直接固着して取り付ける仮設のブラケット構造の足場であって、
該足場のブラケットの先端上部に突出する棒状ロッドに支柱を立設し、
この支柱の上端近傍位置、中間近傍位置、及び下端近傍位置に、
足場の手摺り、中さん、及び幅木の各水平部材から垂直下方に延出する垂直部材を差し込んで挿入する、アダプターとなるソケット状の受け部材を取付けたことを特徴とする貯槽用足場部材。
【請求項２】
上記ソケット状の受け部材は、上記足場の手摺り、中さん、及び幅木の各水平部材から垂直下方に延出する垂直部材の外径寸法に対応する短い中空の管材で形成したことを特徴とする請求項１記載の貯槽用足場部材。
【請求項３】
上記足場の水平部材のうち、手摺り及び中さんはパイプ材と棒状材を用いて、幅木は断面Ｌ字形状の平板材を用いて、それぞれ伸縮連結構造に形成したことを特徴とする請求項１又は２記載の貯槽用足場部材。
【発明の詳細な説明】
【技術分野】
【０００１】
この発明は貯槽の新規建設、補修工事などに使用する仮設のブラケット構造の足場について、安全性及び利便性を向上させた貯槽用足場部材に関するものである。
【背景技術】
【０００２】
貯槽の新規建設、補修などの工事を施工する際に、側板の近傍などに仮設の作業足場を設置している。この仮設の作業足場は、一般にはパイプ材や板材などを用いて組立てる枠組足場が使用されているが、貯槽の内部や外部の一部には側板の壁面に直接取り付ける受け部材、つまりブラケットを用いた仮設のブラケット構造の足場を使用している。
【０００３】
図６乃至図８は、仮設のブラケット構造の足場５を平底円筒形直立の貯槽１の側板３の内壁面に直接取付けた事例を示す。
原油その他の揮発性・可燃性液体を貯蔵する大型の貯槽１は、円形平板の底板２と、円筒体形状の側板３と、屋根４とから形成されている。
この貯槽１の新規建設、補修工事などを施工する場合に、側板３の壁面に仮設のブラケット構造の足場５を直接取付けている。
６は棚受け状のブラケット、７はブラケット６を側板３に取付けるために側板３へ溶着して固定する取付部材である。側板３に沿って水平方向に隔離して固定したブラケット６、６・・・の上部に、足場板８を載置して固定している。９はブラケット６の先端上部に垂直に立設するスタンションつまり支柱で、１０は支柱９の上端近傍に掛け渡す水平の手摺り、１１は中間手摺りとなる中さんである。
【０００４】
従来の特許文献１の特開２００３−１４７９５４号公報「枠組足場の先行手摺」の発明は、枠組足場の最上段に設ける先行手摺に関し、手摺柱と昇降ガイドは互いに相手に沿って上下に移動可能とし、それぞれに枠組足場の建枠に固定可能としたフックを設け、さらに手摺柱の固定フックより上方の間に渡り常時連結されその伸縮が自在な伸縮手摺を設けたものである。
【０００５】
また、従来の特許文献２の特開２００９−１９１５０６号公報「手摺及び枠組足場」の発明は、外径の異なる支柱及び外径の同じ支柱の間を締結できる手摺並びにこれを手摺として組み込んでなる枠組足場であって、１対の楔孔とこの１対の楔孔の両方に挿入できる楔を有していて締結すべき支柱を抱き込むことができる取付部材を長尺の手摺本体の両端に設けてなる手摺である。また、この手摺は伸縮自在としたものである。
【０００６】
さらに、本出願人に関わる特許文献３の特願２００９−１９９３７４号「貯槽用足場部材」の発明は、貯槽の側板壁面にブラケットを固着して使用する仮設のブラケット構造の足場の安全性を向上し法規制にも適応するように、ブラケット上に取付受具を固定しこの取付受具に足場両側面の隙間を覆い遮断する構造の幅木を取付けたものである。
【先行技術文献】
【特許文献】
【０００７】
【特許文献１】特開２００３−１４７９５４号公報
【特許文献２】特開２００９−１９１５０６号公報
【特許文献３】特願２００９−１９９３７４号
【発明の概要】
【発明が解決しようとする課題】
【０００８】
従来例の図７及び図８に示すように、貯槽１の側板３の壁面に直接取付ける仮設の作業足場として使用されている従来の仮設のブラケット構造の足場５は、足場５の支柱９に取付けた手摺り１０の先端１０ａが足場上の通路や作業場所にはみ出して邪魔となり、突き出て危なくなることがあった。
【０００９】
殊に、貯槽側板の壁面が曲面になっているため、ブラケット６、６間は連続延長した一直線になっていない。また、工事現場等で仮設の作業足場として使用されるため、ブラケット６、６の間隔・距離を一定長さに確保することが難しく、手摺り１０及びその下方の中さん１１の方向や間隔が不規則で調整が出来ず、設置がやり難くかった。
【００１０】
また、中さん１１として簡便なロープなどの部材を支柱間に張り渡して使用するため、強度が弱く確りと固定されない場合があり、張力の維持が難しく、緩くなってたわむ心配があった。
【００１１】
さらに、足場板のつま先板となる幅木が設けられていない場合があり、作業員が足を踏み外したり足場板側面の隙間から物体を落下させたりする恐れがあった。
【００１２】
なお、労働安全衛生規則が改正され（２００９年６月１日施行）現場で使用するブラケット構造の足場について、手摺り及び中さんの構造を確りとするとともに、足場の支柱近傍に幅木等を設けることが必須となった。
【００１３】
従来の特許文献１の特開２００３−１４７９５４号公報「枠組足場の先行手摺」の発明は、枠組足場の最上段に設ける先行手摺に関し、手摺柱を上下に移動可能とした際の、手摺柱の固定フックより上方の間に渡って伸縮が自在な伸縮手摺を設けたものであって、この伸縮手摺は枠組足場を組立・分解するときに、作業者の転落防止のため枠組足場の最上段に設ける先行手摺であるが、貯槽の壁面に直接固着する仮設のブラケット構造の足場におけるその支柱間に掛け渡して取り付ける手摺には適用することができない。
【００１４】
また、従来の特許文献２の特開２００９−１９１５０６号公報「手摺及び枠組足場」の発明は、外径の異なる支柱及び外径の同じ支柱の間を締結できる取付部材を設け伸縮自在とした枠組足場に適用できる手摺であるが、手摺本体及び取付部材の構造が複雑であり、かつ仮設のブラケット構造の足場の支柱に固定状態に設置するには適していない構造であった。
【００１５】
さらに、本出願人に関わる特許文献３の特願２００９−１９９３７４号「貯槽用足場部材」の発明は、貯槽の側板壁面にブラケットを固着して使用する仮設のブラケット構造の足場の安全性を向上し法規制にも適応するように、ブラケット上に取付受具を固定しこの取付受具に足場両側面の隙間を覆う構造斜幅木を取付けたものであるが、ブラケットに立設した支柱に取付ける手摺り及び中さんについては記載されていない。
【００１６】
上記特許文献１乃至３に示される足場部材には、水平面が円弧と弦で形成される貯槽の側板等の壁面に直接取付けたブラケットにおいて、このブラケットに立設された支柱間に掛け渡す簡便な構造の手摺り及び中さん等については開示されていない。
【００１７】
この発明の目的は、上述のような従来技術の足場が有する問題点に鑑みてなされたもので、貯槽の側板壁面に直接取付ける仮設のブラケット構造足場において、安全性及び利便性を向上し、新たな法規制にも適応した貯槽用足場部材を提供するものである。
【課題を解決するための手段】
【００１８】
請求項１記載の貯槽用足場部材は、側板の壁面に直接固着して取り付ける仮設のブラケット構造の足場であって、該足場のブラケットの先端上部に突出する棒状ロッドに支柱を立設し、この支柱の上端近傍位置、中間近傍位置、及び下端近傍位置に、足場の手摺り、中さん、及び幅木の各水平部材から垂直下方に延出する垂直部材を差し込んで挿入するアダプターとなるソケット状の受け部材を取付けたものである。
【００１９】
請求項２記載の貯槽用足場部材は、上記ソケット状の受け部材は、上記足場の手摺り、中さん、及び幅木の各水平部材から垂直下方に延出する垂直部材の外径寸法に対応する短い中空の管材で形成したものである。
【００２０】
請求項３記載の貯槽用足場部材は、上記足場の水平部材のうち、手摺り及び中さんはパイプ材と棒状材を用いて、幅木は断面Ｌ字形状の平板材を用いて、それぞれ伸縮連結構造に形成したものである。
【発明の効果】
【００２１】
請求項１記載の貯槽用足場部材は、側板の壁面に直接固着して取り付ける仮設のブラケット構造の足場であって、該足場のブラケットの先端上部に突出する棒状ロッドに支柱を立設し、この支柱の上端近傍位置、中間近傍位置、及び下端近傍位置に、足場の手摺り、中さん、及び幅木の各水平部材から垂直下方に延出する垂直部材を差し込んで挿入するアダプターとなるソケット状の受け部材を取付けたので、
側板と足場間の距離が一定でない円弧状の側壁を有する貯槽の側板に直接取付ける足場部材を伸縮させ長さ調整し、側板壁面が曲面で一直線でなくても支柱取付位置での方向調整が自在で、さらに方向調整する着脱の取扱いが繁雑となることなく作業性良く取付けることができ、着脱自在構造の手摺りと中さんと幅木とからなる水平部材を確りと取付けた足場の機能性、安全性を向上することができる。
このように、手摺りは通路や作業場となる足場板の上に突き出ることがなく、中さんは支柱間に確りと固定され、幅木は足場板のつま先板となるため、足場板上は安全で作業性の良い通路及び作業場所となる。
【００２２】
請求項２記載の貯槽用足場部材は、上記ソケット状の受け部材は、上記足場の手摺り、中さん、及び幅木の各水平部材から垂直下方に延出する垂直部材の外径寸法に対応する短い中空の管材で形成したので、
簡単な取付受具の構成部材により、手摺り、中さん、及び幅木の各部材は着脱自在で伸縮連結構造に形成したので、間隔が一定でないブラケット間であっても簡単に長さ調整及び方向調整して設置することができ、作業性良く取付け取外しができる構造となるため足場部材の機能性を向上することができる。
【００２３】
請求項３記載の貯槽用足場部材は、上記足場の水平部材のうち、手摺り及び中さんはパイプ材と棒状材を用いて、幅木は断面Ｌ字形状の平板材を用いて、それぞれ伸縮連結構造に形成したので、
ブラケット上に立設した支柱間に長さ調整して簡単に設置することができる。
さらに断面Ｌ字形状の平板材よりなる幅木は垂直板部が足場板のつま先板となり水平板部が足場板側面の隙間を覆って埋めるため、物体が足場板上を転がって落下することもなく安全性が確保される。
このように、この発明に係る仮設用の足場部材は、大掛かりな仮設の枠組足場が要らないため、工事施工のコスト低減、工期短縮を図ることが可能となる。
【図面の簡単な説明】
【００２４】
【図１】この発明に係る貯槽用足場部材の事例を示す斜視説明図である。
【図２】図１の一部を省略した平面説明図である。
【図３】この発明に係る貯槽用足場部材のうち、手摺りの構造事例を示す説明図である。
【図４】この発明に係る貯槽用足場部材のうち、中さんの構造事例を示す説明図である。
【図５】この発明に係る貯槽用足場部材のうち、幅木の構造事例を示す説明図である。
【図６】従来例のブラケット構造の足場を円筒直立の貯槽側板の内壁面に設けた状況を示す側面説明図である。
【図７】図６のブラケット構造の足場の一部を拡大して示す斜視説明図である。
【図８】図７の手摺のはみ出し状況を示す平面説明図である。
【発明を実施するための形態】
【００２５】
この発明に係る貯槽用足場部材の実施形態を、図１乃至図５に基づいて説明する。
この実施形態例は、図６に例示した円筒直立の貯槽の側板壁面に直接設置する仮設のブラケット構造の足場５の改善事例を示すもので、図１乃至図５にわたって同一の用語には同一の符号を使用し、各符号の説明は一部省略している。
なお、図示事例では貯槽１の内側壁面に設ける仮設の足場５について説明するが、貯槽１の外側壁面に設ける仮設のブラケット構造の足場にも適用することができることは言うまでもない。
【００２６】
図１は、この発明に係る貯槽用足場部材を、仮設のブラケット構造の足場に設置した状況を示す一部を省略した斜視説明図、図２は、図１の平面説明図である。
側板３の壁面にネコピースと称されている取付部材７を溶接で固着し、この取付部材７にブラケット６のフック７ａを上方から引っ掛けて固定している。このブラケット６は、側面水平の水平ロッドと側面垂直の垂直ロッドと側面傾斜した傾斜ロッドとで略三角形状に形成されている。
上記ブラケット６を水平方向に沿って複数隔離して側板３に取付け、各隣接するブラケット６の水平ロッドの上に掛け渡して足場板８を設置する。またブラケット６の水平ロッドの先端６ｄを垂直上方に延出させ、この先端にパイプ構造の支柱９の下端を挿入して立ち上げる。この支柱９の上端縁近傍に手摺り１５（１０）を水平に掛け渡して設置し、また中央近傍に中間手摺り構造の中さん１６（１１）を水平に掛け渡して設置し、さらに下部近傍に幅木１７を水平に掛け渡して設置する。
【００２７】
図１に示すように、支柱９の上端部近傍位置、中間部近傍位置、および下端部近傍位置に、短い中空の管材でアダプターとなるソケット状の受け部材１２ａ，ｂ、１３ａ，ｂ、１４ａ，ｂをそれぞれ設け、受け部材１２ａ，ｂに手摺り１５（１０）を差し込んで取付け、受け部材１３ａ，ｂに中さん１６（１１）を差し込んで取付け、受け部材１４ａ，ｂに幅木１７を差し込んで取付ける。
【００２８】
このように、支柱９の各受け部材１２ａ，ｂ、１３ａ，ｂ、１４ａ，ｂに、差し込んで取り付ける着脱自在構造の手摺り１５（１０）、中さん１６（１１）、幅木１７を取付けたので、作業性良く支柱９に設置し、側板壁面が曲面で一直線でなくても支柱取付位置での方向調整が自在で、足場部材の機能性、安全性を向上することができる。
【００２９】
図１及び図２に示すように、手摺り１５（１０）は通路や作業場となる足場板８の上に突き出ることがなく、中さん１６（１１）は支柱間に確りと固定され、幅木１７は足場板８のつま先板となり足場板側面の隙間も埋めるため、足場板８上は安全で作業性の良い通路及び作業場所となる。
【００３０】
図３は、この発明に係る貯槽用足場部材のうち、手摺り１５（１０）の構造事例の説明図である。
手摺り１５は、細いパイプ１５Ａと、太いパイプ１５Ｂとからなる頑丈な部材で形成し、これらの水平部先端は管材や棒材よりなる差込み構造の連結部１５ｃで伸縮自在に形成する。
さらに、細いパイプ１５Ａの水平から垂直下方に延出する垂直部材１５ａ、太いパイプ１５Ｂの水平から垂直下方に延出する垂直部材１５ｂを、前記支柱の各受け部材に差し込んで着脱自在に固定する。なお、この手摺部材は、軽量化して中さんとして使用することもできる。
【００３１】
図４は、この発明に係る貯槽用足場部材のうち、中さん１６（１１）の構造事例の説明図である。
中さん１６は、細パイプ１６Ａと、細パイプ１６Ｂとからなる軽量な部材で形成し、これらの水平部先端は管材と棒材よりなる差込み構造の連結部１６ｃで伸縮自在に形成する。
さらに、細パイプ１６Ａの水平から垂直下方に延出する垂直部材１６ａ、細パイプ１６Ｂの水平から垂直下方に延出する垂直部材１６ｂを、前記支柱の各受け部材に差し込んで着脱自在に固定する。なお、この中さん部材は、径を太く頑丈にして手摺りとして使用することもできる。
【００３２】
図５は、この発明に係る貯槽用足場部材のうち、幅木１７の構造事例を示す。
幅木１７は、断面Ｌ字形状の平板材を用いて幅木１７Ａと１７Ｂで形成し、これらの片側端縁近傍は重ね合わせて長さ調整用の長穴１８とボルト・ナット等の固定部材１９によって伸縮連結構造に形成する。この断面Ｌ字形状の幅木１７は、垂直板部を高さ約１０センチメートル以上にして足場板のつま先板とし、また水平板部を足場板側面の隙間を覆う板とする。
幅木１７Ａと１７Ｂの他方片側の端縁には垂直下方に延出するフック状の垂直部材１７ａ，１７ｂを設け、この垂直部材１７ａ，１７ｂを前記支柱の各受け部材に差し込んで着脱自在に固定する。
【００３３】
このように、貯槽用足場部材を構成する上記各受け部材１２,１３，１４、及び手摺り１５、中さん１６、幅木１７の各部材は、着脱自在で長さ調整及び方向調整して作業性良く取付け取外しができる構造となる。
【００３４】
また、手摺り１５、中さん１６、幅木１７の各部材を伸縮連結構造に形成したので、間隔が一定でないブラケット間であっても簡単に長さ調整して設置することができる。
【００３５】
そして、安全な足場板の上で引っ掛かることなく作業性良く工事施工をすることができ、作業者が足を踏み外すことなく、物体が足場板上を転がって落下することもなく安全性が確保される。
この発明に係る仮設用の足場部材は、大掛かりな仮設の枠組足場が要らないため、工事施工のコスト低減、工期短縮を図ることが可能となる。
【産業上の利用可能性】
【００３６】
この発明に係る貯槽用足場部材は、直立円筒形貯槽、球形貯槽など、種々の貯槽等の建築物について、内外の壁面に直接取り付ける仮設のブラケット構造の足場に広範囲に適用することができる。
【符号の説明】
【００３７】
１  貯槽          
２  底板          
３  側板          
４  屋根          
５  足場          
６  ブラケット          
７  取付部材          
８  足場板          
９  支柱          
１０  手摺り          
１１  中さん          
１２  受け部材          
１３  受け部材          
１４  受け部材          
１５  手摺り          
１６  中さん          
１７  幅木          
１８  長穴          
１９  固定部材          
【図１】
0005594678.tif 000002
【図２】
0005594678.tif 000003
【図３】
0005594678.tif 000004
【図４】
0005594678.tif 000005
【図５】
0005594678.tif 000006
【図６】
0005594678.tif 000007
【図７】
0005594678.tif 000008
【図８】
0005594678.tif 000009